(57)【要約】      （修正有）【課題】リールシートを備える釣竿を安定して把持するための改善を提供する。【解決手段】釣竿は，元竿部材３及び穂先竿部材４を軸方向に継いで構成される釣竿本体と，リールシートと，を備える。このリールシートは，元竿部材３の外周面に設けられて魚釣用リールの脚部の一端を受け入れる前方フード１２と，元竿部材３の外周面に設けられて魚釣用リールの脚部の他端を受け入れる後方フード１８と，を含む。釣竿は，元竿部材３の外周面の前方フード１２の前方に設けられ，前方フード１２の前端１２ａの外径よりも小さな外径を有するスペーサ部２２をさらに備える。スペーサ部２２は，前方フード１２及び後方フード１８にリールを受け入れた状態でリールが下側に位置するようにリールシートが把持された場合に，当該リールシートを把持した掌の前方に伸ばされた親指の第一関節付近に配置される，【選択図】図２
2014003942.tif 000002
【特許請求の範囲】
【請求項１】
釣竿本体と，
前記釣竿本体の外周面に設けられて魚釣用リールの脚部の一端を受け入れる前方フード，及び，前記釣竿本体の外周面に設けられて前記魚釣用リールの脚部の他端を受け入れる後方フード，を含むリールシートと，
前記釣竿本体の外周面の前記前方フードよりも前方に設けられ，前記前方フードの前端の外径よりも小さな外径を有する第１スペーサ部と，
を備え，
前記第１スペーサ部は，前記前方フード及び前記後方フードに前記魚釣用リールを受け入れた状態で前記魚釣用リールが下側に位置するように前記リールシートが把持された場合に，当該リールシートを把持した掌の前方に伸ばされた親指の第一関節付近に位置するように配置される，
釣竿。
【請求項２】
前記後方フードが前記前方フードとは別体に構成され，
前記釣竿本体の外周面の前記前方フードと前記後方フードとの間に設けられ，前記前方フードの後端の外径及び前記後方フードの前端の外径のいずれよりも小さな外径を有する第２スペーサ部，
をさらに備える請求項１に記載の釣竿。
【請求項３】
前記第１スペーサ部の外径は，前記第２スペーサ部の外径よりも小さい，
請求項２に記載の釣竿。
【請求項４】
前記釣竿本体の外径と前記第１スペーサ部の外径と前記前方フードの前端の外径との比が１：２：４である，
請求項１に記載の釣竿。
【請求項５】
前記釣竿本体は，単一の竿部材により構成され，
前記第１スペーサ部は，前記竿部材の外周面の前記前方フードよりも前方に設けられた前方リングと，前記前方リングの外周面に装着される前方リングカバーとを含む，
請求項１から４のいずれか１項に記載の釣竿。
【請求項６】
前記第２スペーサ部は，前記竿部材の外周面の前記前方フードと前記後方フードとの間に設けられた後方リングと，前記後方リングの外周面に装着される後方リングカバーと，を含む，
請求項５に記載の釣竿。
【請求項７】
前記釣竿本体は，前記リールシートが設けられる元竿部材と，当該元竿部材に前側から挿入される穂先竿部材と，を含み，
前記第１スペーサ部は，前記元竿部材の前記前方フードから前方に突出する突出部分と，前記突出部分の外周面に装着された第１カバーと，を含む，
請求項１から４のいずれか１項に記載の釣竿。
【請求項８】
前記第２スペーサ部は，前記元竿部材の前記前方フードと前記後方フードとの間の中間部分と，前記中間部分の外周面に装着された第２カバーとを含む，
請求項７に記載の釣竿。
【発明の詳細な説明】
【技術分野】
【０００１】
本発明は，魚釣用リールの脚部を固定するリールシートを備える釣竿に関する。
【背景技術】
【０００２】
魚釣用リールを固定するためのリールシートを備えた釣竿の開示例がある。例えば，特開2009-65868号公報（特許文献１）には，リール着座部と，当該リール着座面の一端側に固定的に取り付けられた固定フードと，当該リール着座面の他端側に竿軸方向に移動自在に取り付けられた可動フードとを備えた釣竿用リールシートが開示されている。このように構成された釣竿は，使用時には，当該リールシートにリールが取り付けられ，例えば中指と薬指の間にリールの脚部を挟んだ状態で，親指及び人差し指でリールシートの前側の部分を押さえるように把持される（特許文献１の図１参照）。
【先行技術文献】
【特許文献】
【０００３】
【特許文献１】特開2009-65868号公報
【発明の概要】
【発明が解決しようとする課題】
【０００４】
上述したリールシートが，トラウトフィッシング用等の小径の釣竿に装着されることがある。しかしながら，従来のリールシートを小径の竿に装着すると，リールシートの外径と竿本体の外径との差が大きいため，当該釣竿のリールシート付近を把持した掌の指先が竿本体に届きづらく，その結果，釣竿を安定して支持することが困難である。
【０００５】
そこで，本発明は，リールシートを備える釣竿を安定して把持するための改善を提供する。本発明の他の目的は，本明細書全体を参照することにより明らかとなる。
【課題を解決するための手段】
【０００６】
本発明の一実施形態に係る釣竿は，前記釣竿本体の外周面に設けられて魚釣用リールの脚部の一端を受け入れる前方フード，及び，前記釣竿本体の外周面に設けられて前記魚釣用リールの脚部の他端を受け入れる後方フード，を含むリールシートと，前記釣竿本体の外周面の前記前方フードよりも前方に設けられ，前記前方フードの前端の外径よりも小さな外径を有する第１スペーサ部と，を備え，前記第１スペーサ部が，前記前方フード及び前記後方フードに前記魚釣用リールを受け入れた状態で前記魚釣用リールが下側に位置するように前記リールシートが把持された場合に，当該リールシートを把持した掌の前方に伸ばされた親指の第一関節付近に位置するように配置される。
【発明の効果】
【０００７】
本発明の実施形態により，リールシートを備える釣竿を安定して把持するための改善が提供される。
【図面の簡単な説明】
【０００８】
【図１】本発明の一実施形態に係る釣竿を模式的に示す側面図
【図２】本発明の一実施形態に係る釣竿に備えられるリールシートを示す側面図
【図３】本発明の一実施形態に係る釣竿が把持された状態を模式的に示す図
【図４】本発明の他の実施形態に係る釣竿に備えられるリールシートを示す側面図
【発明を実施するための形態】
【０００９】
以下，本発明の様々な実施形態を添付図面を参照して説明する。なお，各図面において共通の構成要素には共通の参照符号が付されている。また，各図面は，説明の便宜上，必ずしも正確な縮尺で記載されているとは限らない点に留意されたい。
【００１０】
図１は，本発明の一実施形態に係る釣竿を模式的に示す側面図である。図示のとおり，本発明の一実施形態に係る釣竿１は、いわゆるワンピースの釣竿であり，中空の元竿部材３に中実の穂先竿部材４を軸方向に継いで構成されている。釣竿１は，その基端側に，後述するリールシート１０を備えている。このリールシート１０には，リール５が着脱可能に装着される。また，釣竿１には，リール５から繰出された釣糸を案内する複数の釣糸ガイド６が設けられている。
【００１１】
釣竿１は，例えば，トラウトフィッシング用の釣竿である。トラウトフィッシング用の釣竿は小径に構成されることが多い。トラウトフィッシング用の釣竿１の元竿部材３は，典型的には，その直径（外径）が約5mm〜6mmとなるように構成される。図１に示した釣竿１の構成は例示に過ぎず，本発明に係る釣竿は様々な構成を採ることができる。例えば，釣竿１は，２本以上の竿部材を軸方向に継いで振出し式に構成されてもよい。また，釣竿１を構成する一又は複数の竿部材の各々は，その一部又は全体が中実の棒状に構成されてもよく中空の管状に構成されてもよい。中空の管状に構成された竿部材を用いることにより，釣竿１は，釣糸が当該管状体の内部を通過する中通し式に構成され得る。
【００１２】
釣竿１を構成する各竿部材は，典型的には，強化繊維に合成樹脂を含浸させた繊維強化樹脂材料（プリプレグシート）から形成されるが，これ以外にも当業者に明らかな様々な素材又は材料を用いて釣竿１の竿部材を形成することができる。
【００１３】
リール５は，その脚部７を介してリールシート１０に装着される。リール５は，リールシート１０に装着可能なものである限り特定の構成に限定されるものではない。本発明においては，例えば，両軸受型リール，方軸受型リール，スピニングリール等の様々なリールをリール５として用いることができる。
【００１４】
リールシート１０は，前方フード１２と，後方フード１８とを備える。一実施形態において，前方フード１２は，後方フード１８とは別体に構成されており，前方フード１２と後方フード１８とは，元竿部材３の外周面の互いから所定間隔離間した位置に配置される。
【００１５】
本発明の他の実施形態においては，互いに別体に構成された前方フード１２と後方フード１８とを，他の部材を介して連結することもできる。例えば，前方フード１２と後方フード１８との間に釣竿１の軸方向に伸びる支持部材を設け，この支持部材により前方フードと後方フードとが連結されてもよい。このような，リールの脚部の一端を受け入れる部材と他端を受け入れる部材とが連結されているリールシートの具体的構成は，例えば特開平06-007059号公報等に開示されており，当業者に明らかであるため，本明細書においてはその詳細な説明は省略する。
【００１６】
本発明の一実施形態に係る釣竿について，図２を参照してさらに説明する。図２は，本発明の一実施形態に係る釣竿に備えられたリールシート１０を模式的に示す側面図である。図２に示したリールシート１０は，上述のとおり，互いに別体の前方フード１２と後方フード１８とを備える。後方フード１８は，ほぼ円筒状の形状を有しており，その内周面に雌ネジ部が形成されたナット状に構成されている。元竿部材３の外周面にはスペーサ１１を介して雄ネジ部１４が接着されており，後方フード１８は，この雌ネジ部が雄ネジ部１４と螺合するように配置される。従って，後方フード１８を回転操作することにより，当該後方フード１８は，その回転方向に応じて，前方フード１２に対して接近する方向又は離反する方向に移動する。後方フード１８は，その前端１８ａが雄ネジ部１４の前端１４ａと一致するまで前方に移動することができるように構成されている。従って，リール５の装着時においては，後方フード１８の前端１８ａは，雄ネジ部１４の前端１４ａと実質的に同一面上まで前進する。後方フード１８は，典型的には，ナイロン，ポリエチレン・テレフタレート，ＡＢＳ樹脂等の硬質合成樹脂部材から射出成型により形成される。
【００１７】
元竿部材３の外周面上の後方フード１８の取付位置から所定間隔前方に離間した位置にはスペーサ１７が接着されている。前方フード１２は，このスペーサ１７の外周面に接着等により固定される。前方フード１２は，ほぼ円筒状に形成されているが，その外周面は，釣り人の握り易さを考慮して，釣竿１の穂先側から竿尻側に向かって若干拡径するように形成されてもよい。一実施形態において，前方フード１２の外径は，釣り人の握り易さを考慮して，約15mm〜25mmの範囲に設定される。一実施形態において，前方フード１２の前端１２ａの外径は，20mm前後となるように設定される。前方フード１２は，典型的には，後方フード１８と同様に硬質合成樹脂部材から射出成型により形成される。
【００１８】
図２に示すように，前方フード１２は，元竿部材３の前端３ａから所定距離後方に離間した位置に配置されている。したがって，元竿部材３の前端側は，前方フード１２の前端１２ａよりも前方に，例えば30〜70mm程度突出している。この突出部分の外周面には，円筒状のカバー２３が装着されている。このカバー２３と，元竿部材３の前方フード１２から突出した部分と，によりスペーサ部２２が構成される。スペーサ部２２については後述する。
【００１９】
前方フード１２の下部の後端側には，リール５の脚部の一端を受け入れる受入口１６が形成されている。また，固定フード１８の下部の前端側には，リール５の脚部の他端を受け入れる受入口２０が形成されている。
【００２０】
前方フード１２及び後方フード１８の材料，製法，及び形状等は，本明細書で明示されたものに限られず，本明細書で例示された態様には様々な変更が加えられ得る。例えば，前方フード１２及び／又は後方フード１８は，アルミ，ＳＵＳ，チタン等の金属から構成され得る。また，後方フード１８には，不図示の指掛け部（トリガー）を形成することもできる。トリガーは，特開２００５−４６１６２号公報等の様々な文献で開示されており，その具体的構成は当業者に明らかであるため，本明細書ではその詳細な説明は省略する。また，図２の実施例では，後方フード１８が釣竿１に対して移動可能で前方フード１２が釣竿１に固定されているが，前方フード１２を釣竿１に対して移動可能に構成しても良い。
【００２１】
リール５の装着時には，まず前方フード１２の受入口１６にリール５の脚部７の一端を挿入する。続いて当該脚部７の他端が後方フード１８の受入口２０に挿入されるように，後方フード１８を回転させて前方フード１２に近づく方向に移動させることで，リール５の脚部の両端を受入口１４及び受入口２０内にそれぞれ収容することができる。このようにして，リール５を，リールシート１０に装着することができる。
【００２２】
図２の実施形態においては，元竿部材３は中空の管状に形成されており，この中空部分の所定位置まで穂先竿部材４が挿入されている。本発明の一態様において，穂先竿部材４は，その後端４ｂが雄ネジ部１４の前端１４ａ（又は，後方フード１８が最前部まで移動したときの後方フード１８の前端１８ａ）よりも後方に位置まで元竿部材３の内部に挿入され，その位置で固定される。このような配置とすることにより，穂先竿部材４と元竿部材３との接合部分が，リールシード１０（前方フード１２及び後方フード１８）によって部分的に補強され，当該接合部分の曲げ剛性が大きくなる。このように，穂先竿部材４の後端４ｂを雄ネジ部１４の前端１４ａ（又は，後方フード１８が最前部まで移動したときの後方フード１８の前端１８ａ）よりも後方まで挿入した位置で固定することにより，実釣時において応力が集中する穂先竿部材４と元竿部材３との接合部分の曲げ剛性を大きくし，穂先竿部材４や元竿部材３の破断を防止できる。
【００２３】
リール５としてスピニングリールを用いる場合には，釣竿１は，図３に示すように，リールシート１０に装着されたスピニングリールが下側に位置する状態で使用される。釣り人は，典型的には，薬指と小指との間に当該スピニングリールの脚部７を挟んだ状態で，親指がスペーサ部２２の上側に位置するように，リールシート１０と元竿部材３とを共握りする。つまり，本発明の一実施形態においては，スペーサ部２２は，元竿部材３の外周面における，リールシート１０を把持した掌の前方に伸ばされた親指の第一関節と対応する位置に配置される。その結果，釣り人は，実釣時に親指の第一関節の腹（又は人差し指の腹）でスペーサ部２２を押さえることができる。なお，リールシート１０の把持方法は，掌の大きさ等によって適宜変更され得る。例えば，リールシート１０は，中指と薬指との間に当該スピニングリールの脚部７を挟み込んだ状態で把持してもよい。
【００２４】
スペーサ部２２を構成するカバー２３は，典型的にはカーボンから形成される。カバー２３をカーボンから形成することにより，釣竿１からの振動がカバー２３に触れている釣り人の指先に伝達されやすくなる。しかしながら，カバー２３の材料はカーボンに限られず，ＡＢＳ樹脂等の様々な材料を用いてカバー２３を形成することができる。
【００２５】
カバー２３は，例えば，その内周面と元竿部材３の外周面とを接着することにより，元竿部材３に固定される。カバー２３は，その外径が，元竿部材３の外径よりも大きいが，前方フード１２の前端１２ａの外径よりも小さくなるように構成される。カバー２３の典型的な外径は，10mm前後である。
【００２６】
一実施形態において，元竿部材３の外周面の前方フード１２と後方フード１８との間にはカバー２５が設けられている。そして，このカバー２５と，元竿部材３の前方フード１２と後方フード１８との間の中間部分と，によりスペーサ部２４が構成される。カバー２５は，カバー２３と同様に筒状に形成され，その内周面が元竿部材３の外周面に固定されている。カバー２５は，カーボンやＡＢＳ樹脂等の様々な材料から形成される。カバー２５は，その外径が，前方フード１２の後端１２ｂの外径及び後方フード１８の前端１８ａの外径のいずれよりも小さくなるように構成される。また，一実施形態においては，カバー２５の外径は，スペーサ２２の外径よりも若干大きい。カバー２５の典型的な外径は，12mm前後である。
【００２７】
以上述べたように，本発明の一実施形態に係る釣竿１は，リールシート１０を構成する前方フード１２の前方にスペーサ部２２を備える。このスペーサ部２２により，前方フード１２の前方部分の外径が元竿部材３の外径よりも大きくなるので，釣り人が釣竿１のリールシート１０付近を把持した状態において，当該釣り人のリールシート１０を把持する掌の指（特に親指の第一関節）がより安定的に支持されるようになる。つまり，スペーサ部２２を設けない場合（例えば，元竿部材３の前端が前方フード１２の前端１２ａよりも後方にある場合）には，元竿部材３を押さえるために親指の第一関節を下方に深く曲げる必要があるが，スペーサ部２２により釣竿１の親指の第一関節と対向する部分が拡径されているため，第一関節を浅く曲げるだけでスペーサ部２２の外周面を押さえつけることができる。このように，釣り人は，親指により釣竿１を上部から押さえやすくなり，釣竿１をより安定して把持できるようになる。また，元竿部材３の外周面の前方フード１２と後方フード１８との間に設けられたスペーサ部２４によって，元竿部材３のリールシート１０を把持した掌の中指，薬指，及び／又は小指が支持されやすくなる。これにより，釣り人は，中指，薬指，及び／又は小指により釣竿１を下部又は側部から押さえやすくなるので，釣竿１をより安定して把持できるようになる。
【００２８】
また，上述したように，元竿部材３の典型的な外径は5mmであり，前方フード１２の前端１２ａの典型的な外径は20mmであるから，スペーサ部２２の外径（カバー２３の外径）を10mm程度とすれば，釣竿１において，前方フード１２の前端１２ａ，スペーサ部２２，元竿部材３が，元釣竿１の竿尻側から穂先側に向かって緩やかに縮径するように配置される。このような配置により，前方フード１２の前端１２ａ，スペーサ２２，元竿部材３のそれぞれの外周面が，釣竿１のリールシート１０付近を把持する掌の指に概ね沿うように配置されるので，釣り人の掌が前方フード１２，スペーサ部２２，元竿部材３によって安定的に支持される。このように，元竿部材３の外径とスペーサ部２２の外径と前方フード１２の前端１２ａの外径との比が概ね１：２：４であれば，リールシート１０付近を把持する掌がより安定的に支持される。
【００２９】
図４は，本発明の他の実施形態に係る釣竿のリールシート付近を模式的に示す側面図である。図示のとおり，本実施形態に係る釣竿１’は，単一の竿部材３’から構成されている。この竿部材３’の外周面の前方フード１２よりも前方には，リング３１が装着され，このリング３１の外周面に円筒状のカバー３５がさらに装着されている。このリング３１とカバー３５とにより，スペーサ部２２’が構成される。また，竿部材３’の外周面の前方フード１２と後方フード１８との間には，リング３３が装着され，このリング３３の外周面に円筒状のカバー３７がさらに装着される。このリング３３とカバー３７とにより，スペーサ部２４’が構成される。本実施形態の釣竿１’においても，竿部材３’の親指の第一関節と対向する部分がスペーサ部２２’によって拡径されているため，第一関節を浅く曲げるだけでスペーサ部２２’の外周面を押さえつけることができ，これにより，釣り人は，釣竿１をより安定して把持できるようになる。
【００３０】
本明細書で説明された各構成要素の寸法，材料，及び配置は，実施形態中で明示的に説明されたものに限定されず，むしろ本発明の範囲に含まれうる任意の寸法，材料，及び配置を有するように各構成要素を変形することができる。また，本明細書において明示的に説明した以外の構成要素を，説明した実施形態に付加することもできるし，各実施形態において説明した構成要素の一部を省略することもできる。
【符号の説明】
【００３１】
１  釣竿
３  元竿部材
４  穂先竿部材
５  リール
１０  リールシート
１２  前方フード
１４，２０  受入口
１８  後方フード
２２，２２’，２４，２４’  スペーサ
【図１】
2014003942.tif 000003
【図２】
2014003942.tif 000004
【図３】
2014003942.tif 000005
【図４】
2014003942.tif 000006